(57)【要約】【課題】極力グレアを感じることのない照明装置を提供する。【解決手段】本発明の照明装置１は、天井面Ｃに取り付けられる長尺状のベース部材１０と、ベース部材１０に着脱自在に装着され、その底面に第１光源部４０が設けられている長尺状のフレーム部材２０と、第１光源部４０を覆うようにフレーム部材２０に取り付けられ、光拡散性を有するカバー部材３０と、フレーム部材２０とベース部材１０及び／又は天井面Ｃとによって囲まれた空間内に配置されるようにベース部材１０に設けられた一又は二以上の第２光源部６０と、を備え、フレーム部材２０の少なくとも一部が、光拡散性を有している。【選択図】図２
2019160735.tif 000002
【特許請求の範囲】
【請求項１】
天井面に取り付けられる長尺状のベース部材と、
該ベース部材に着脱自在に装着され、その底面に第１光源部が設けられている長尺状のフレーム部材と、
前記第１光源部を覆うように前記フレーム部材に取り付けられ、光拡散性を有するカバー部材と、
前記フレーム部材と前記ベース部材及び／又は前記天井面とによって囲まれた空間内に配置されるように前記ベース部材に設けられた一又は二以上の第２光源部と、を備え、
前記フレーム部材の少なくとも一部が光拡散性を有していることを特徴とする照明装置。
【請求項２】
前記第２光源部が前記ベース部材の長手方向に沿って設けられていることを特徴とする、請求項１に記載の照明装置。
【請求項３】
前記第２光源部の発光面上に配光制御機構が設けられていることを特徴とする、請求項１又は２に記載の照明装置。
【請求項４】
前記第１光源部及び前記第２光源部の発光状態はそれぞれ独立して制御可能であることを特徴とする、請求項１〜３のいずれか１項に記載の照明装置。
【請求項５】
前記フレーム部材と前記ベース部材及び／又は前記天井面とによって囲まれた空間内に、前記第２光源部からの照射光を前記フレーム部材方向に反射させるシート状の反射部材が設けられていることを特徴とする、請求項１〜４のいずれか１項に記載の照明装置。
【請求項６】
前記フレーム部材が、前記第１光源部が配置される光源配置部と、前記フレーム部材の長手方向に沿って該光源配置部の両側にそれぞれ設けられた第１サイドフレーム部及び第２サイドフレーム部と、を有し、
前記第１サイドフレーム部が光拡散性を有していることを特徴とする、請求項１〜５のいずれか１項に記載の照明装置。
【請求項７】
前記第２サイドフレーム部が光拡散性を有していることを特徴とする、請求項６に記載の照明装置。
【請求項８】
前記フレーム部材が、その長手方向に沿って分割されている少なくとも二つのフレーム構成部材を連結することにより形成されており、
前記少なくとも二つのフレーム構成部材のうちの一つが、前記第１サイドフレーム部に相当することを特徴とする、請求項６又は７に記載の照明装置。
【請求項９】
前記フレーム部材が、その長手方向に沿って分割されている三つのフレーム構成部材を連結することにより形成されており、
前記三つのフレーム構成部材が、それぞれ前記第１サイドフレーム部、前記第２サイドフレーム部及び前記光源配置部に相当することを特徴とする、請求項６又は７に記載の照明装置。
【発明の詳細な説明】
【技術分野】
【０００１】
本発明は、光源にＬＥＤを用いた照明装置に関するものであり、特に器具本体とカバーユニットとで構成された天井面に設置される照明装置に関する。
【背景技術】
【０００２】
ＬＥＤを光源とする、天井面に取り付けられた照明器具は、主にベースとなる器具本体と発光部となるカバーユニットとで構成され、カバーユニットにはＬＥＤ実装基板が内蔵される。例えば、特許文献１及び特許文献２には、光源として用いる複数のＬＥＤチップを実装したＬＥＤ実装基板を内蔵したカバーユニットと、天井面への取り付け構造を有し、カバーユニットを保持する器具本体とによって構成される照明装置が開示されている。
【０００３】
このような構造の照明装置においては、発光部における拡散カバーとフレーム部材との隙間に生じる陰りをなくし、また発光部と天井面との輝度比を改善するために、拡散カバー形状やフレーム部材の形状に各種の工夫がされている。
【先行技術文献】
【特許文献】
【０００４】
【特許文献１】再表２０１５−１１５５１７号公報
【特許文献２】特開２０１５−１４１７６９号公報
【発明の概要】
【発明が解決しようとする課題】
【０００５】
ところで、近年のＬＥＤ発光効率の進歩により、発光部面積が小さい照明装置であっても十分な照度が得られるようになってきている。コスト面からも、光源部をコンパクトにすることで、樹脂カバーやＬＥＤ基板を小さくすることが有利であると考えられるが、発光部面積が小さくなると、天井を見上げたときにグレア（まぶしさ）を感じる原因となり、不快感を生じさせてしまうという問題がある。従来は発光部の両側に位置するフレーム部材のサイド部を白色に塗装し、発光部や周辺からの光を当該白色塗装部分に反射させることで、輝度差をなるべく小さくしてグレアの解消を図っていたが、グレアを完全に解消するには至っていない。
【０００６】
本発明は、このような点に鑑みてなされたものであり、極力グレアを感じることのない照明装置を提供することを目的とする。
【課題を解決するための手段】
【０００７】
上記目的を達成するために、本発明は、天井面に取り付けられる長尺状のベース部材と、該ベース部材に着脱自在に装着され、その底面に第１光源部が設けられている長尺状のフレーム部材と、前記第１光源部を覆うように前記フレーム部材に取り付けられ、光拡散性を有するカバー部材と、前記フレーム部材と前記ベース部材及び／又は前記天井面とによって囲まれた空間内に配置されるように前記ベース部材に設けられた一又は二以上の第２光源部と、を備え、前記フレーム部材の少なくとも一部が光拡散性を有していることを特徴とする照明装置を提供する（発明１）。
【０００８】
上記発明（発明１）によれば、フレーム部材の少なくとも一部が光拡散性を有しており、フレーム部材とベース部材及び／又は天井面とによって囲まれた空間内に設けられた第２光源部からの照射光がフレーム部材の外部へと拡散されて照射されることにより、フレーム部材自体も第２光源部からの照射光により発光し、あたかも照明装置全体が発光部であるように機能するため、グレアが解消される。なお、本願において「天井面に取り付けられる長尺状のベース部材」とは、ベース部材が天井面に直接取り付けられる態様の他、天井面内部に設けられているアンカーボルト等の取付部材を介して、ベース部材が天井面に設けられた開口部に埋設されるように取り付けられる態様や、天井面に設けられた天井梁材等の取付部材を介して、ベース部材が天井面に間接的に取り付けられる態様をも含む。また、本願においてフレーム部材の「底面」とは照明装置が天井面に取り付けられた状態で、照明光が照射される方向に位置する面を示す。
【０００９】
上記発明（発明１）においては、前記第２光源部が前記ベース部材の長手方向に沿って設けられていることが好ましい（発明２）。
【００１０】
上記発明（発明１，２）においては、前記第２光源部の発光面上に配光制御機構が設けられていることが好ましい（発明３）。
【００１１】
上記発明（発明３）によれば、グレアを効率よく解消できるように、配光制御機構によって第２光源部からの照射光をフレーム部材に当てることができる。
【００１２】
上記発明（発明１〜３）においては、前記第１光源部及び前記第２光源部の発光状態はそれぞれ独立して制御可能であることが好ましい（発明４）。
【００１３】
上記発明（発明４）によれば、それぞれの光源部のオンオフやそれぞれの光源部からの照射量を、照明装置の設置場所や設置目的に応じて適切に制御することができる。
【００１４】
上記発明（発明１〜４）においては、前記フレーム部材と前記ベース部材及び／又は前記天井面とによって囲まれた空間内に、前記第２光源部からの照射光を前記フレーム部材方向に反射させるシート状の反射部材が設けられていることが好ましい（発明５）。
【００１５】
上記発明（発明５）によれば、第２光源部から天井面方向に照射された照射光をフレーム部材方向により効率的に反射させることができるため、第２光源部からの照射光をより多くフレーム部材に当てることができる。
【００１６】
上記発明（発明１〜５）においては、前記フレーム部材が、前記第１光源部が配置される光源配置部と、前記フレーム部材の長手方向に沿って該光源配置部の両側にそれぞれ設けられた第１サイドフレーム部及び第２サイドフレーム部と、を有し、前記第１サイドフレーム部が光拡散性を有していることが好ましい（発明６）。
【００１７】
上記発明（発明６）においては、さらに前記第２サイドフレーム部が光拡散性を有していることが好ましい（発明７）。
【００１８】
上記発明（発明６，７）においては、前記フレーム部材が、その長手方向に沿って分割されている少なくとも二つのフレーム構成部材を連結することにより形成されており、前記少なくとも二つのフレーム構成部材のうちの一つが、前記第１サイドフレーム部に相当してもよい（発明８）。
【００１９】
上記発明（発明６，７）においては、前記フレーム部材が、その長手方向に沿って分割されている三つのフレーム構成部材を連結することにより形成されており、前記三つのフレーム構成部材が、それぞれ前記第１サイドフレーム部、前記第２サイドフレーム部及び前記光源配置部に相当してもよい（発明９）。
【発明の効果】
【００２０】
本発明の照明装置によれば、フレーム部材の少なくとも一部が光拡散性を有しており、フレーム部材とベース部材及び／又は天井面とによって囲まれた空間内に設けられた第２光源部からの照射光がフレーム部材の外部へと拡散されて照射されることにより、フレーム部材自体も第２光源部からの照射光により発光し、あたかも照明装置全体が発光部であるように機能するため、グレアが解消される。このようにして極力グレアを感じることのない照明装置が提供される。
【図面の簡単な説明】
【００２１】
【図１】本発明の第１実施形態に係る照明装置の構成を示す斜視図である。
【図２】同第１実施形態に係る照明装置のフレーム部材をベース部材から取り外した状態を示す説明図である。
【図３】同第１実施形態に係る照明装置のベース部材の構成を示す断面図である。
【図４】同第１実施形態に係る照明装置のフレーム部材の構成を示す断面図である。
【図５】同第１実施形態に係る照明装置の側板の構成を示す斜視図であり、（ａ）は側板の外側から見た斜視図、（ｂ）は側板の内側から見た斜視図である。
【図６】同第１実施形態に係る照明装置の第１光源部及び第２光源部から照射される照射光の様子を示す光線図である。
【図７】本発明の第２実施形態に係る照明装置の構成を示す斜視図である。
【図８】同第２実施形態に係る照明装置の構成を示す断面図である。
【図９】同第２実施形態に係る照明装置の側板の構成を示す斜視図であり、（ａ）は側板の外側から見た斜視図、（ｂ）は側板の内側から見た斜視図である。
【発明を実施するための形態】
【００２２】
＜第１実施形態＞
以下、本発明の第１実施形態を図面に基づいて詳細に説明する。図１は本発明の一実施形態に係る照明装置１の構成を示す斜視図であり、図２は照明装置１のフレーム部材２０をベース部材１０から取り外した状態を示す説明図である。
【００２３】
照明装置１は、天井面Ｃに取り付けられる長尺状のベース部材１０と、ベース部材１０を覆うようにベース部材１０に着脱自在に装着される長尺状のフレーム部材２０と、フレーム部材２０を構成する一部材である光源配置部材２１に取り付けられる光拡散性を有するカバー部材３０とを備える。図３に示すように、フレーム部材２０の底面部には、床側に向けて（すなわち、照明光が照射される方向に向けて）複数のＬＥＤ４１が実装された実装基板４０が第１光源部として取り付けられる。
【００２４】
ベース部材１０は、幅方向に見て左右が垂直部（側面）１１ａ、１１ｂ、天井面Ｃ側が水平部１２となった断面が略コ字状に長さ方向に伸延する長尺状の部材であり、例えば一枚の金属板により作製される。ベース部材１０は、天井面Ｃからのアンカーボルト（不図示）にナット（不図示）を螺合したりすることによって天井面Ｃに取り付けて固定させる。
【００２５】
ベース部材１０の垂直部１１ａ、１１ｂ及び水平部１２で形成される空間には、発光部（ＬＥＤ４１を実装した実装基板４０やＬＥＤ６１を実装した実装基板６０ａ、６０ｂ）に電力を供給する電源ユニット５０や、フレーム部材２０をベース部材１０に着脱自在に取り付けるための取付構造（後述）が収納される。ベース部材１０の両端部にはそれぞれ側板１３がビス止め、差込（スナップフィット）固定等の取付手段により取り付けられている。
【００２６】
図３に示すように、ベース部材１０の垂直部１１ａ、１１ｂそれぞれの外面には、外側に向けて複数のＬＥＤ６１が実装された実装基板６０ａ、６０ｂがそれぞれ第２光源部としてベース部材１０の長手方向に沿って設けられている。フレーム部材２０はベース部材１０を覆うようにベース部材１０に取り付けられるため、第２光源部は、フレーム部材２０とベース部材１０及び天井面Ｃとによって囲まれた空間内に配置されるように、ベース部材１０に設けられていることになる。
【００２７】
実装基板６０ａ、６０ｂに実装される複数のＬＥＤ６１それぞれの発光面上には配光制御機構６２が設けられている。配光制御機構６２として、例えば微小なレンズを平面状に多数配置したレンズアレイシートや、微細なプリズムを平面状に多数配置したプリズムアレイシート等のシート状の配光制御部材をＬＥＤ６１の発光面上に貼り付け、ＬＥＤ６１からの配光を制御する。
【００２８】
ベース部材１０の幅方向両端部、具体的にはベース部材１０の垂直部１１ａ及び水平部１２の交わる部分、並びに垂直部１１ｂ及び水平部１２の交わる部分からは、それぞれ天井面Ｃに沿ってシート状の反射部材１５ａ、１５ｂがそれぞれ延設されている。反射部材１５ａ、１５ｂは、ＬＥＤ６１からの照射光を反射させることができるものであり、例えば金属板の一面にシート状の反射材を貼り付けたものや、金属板の一面を白色に塗装したものが、公知の固定手段（ビス止め、接着剤、溶接等）を用いてベース部材１０の水平部１２に取り付けられる。
【００２９】
フレーム部材２０は、図４に示すように、光源として用いる複数のＬＥＤ４１を長さ方向に等間隔に実装した長尺状の実装基板４０が第１光源部として配置される光源配置部材２１と、フレーム部材２０の長手方向に沿って光源配置部材２１の両側にそれぞれ設けられたサイドフレーム部材２２ａ、２２ｂの三つのフレーム構成部材に分割されており、光源配置部材２１はアルミ押出材から、サイドフレーム部材２２ａ、２２ｂは、拡散透過・拡散反射性を有するプラスチック、例えばポリカーボネート（あるいはアクリル）により成形された乳白色の樹脂押出材からなる。
【００３０】
なお、光源配置部材２１をアルミ押出材とすることにより、熱膨張による影響を抑え、かつその強度を高くすることができるものの、照明装置１の長さや用途等に応じて、光源配置部材２１をサイドフレーム部材２２ａ、２２ｂと同様の乳白色の樹脂押出材で構成してもよい。
【００３１】
フレーム部材２０は、底面部には天井面Ｃに平行に光源配置部材２１が配置され、幅方向に見て図４における左側にサイドフレーム部材が２２ａ、右側にサイドフレーム部材２２ｂが光源配置部材２１に連結されており、全体として断面視略Ｃ字形状を有している。フレーム部材２０は、ベース部材１０とほぼ同じに長さ方向に伸延しており、取付構造（後述）を介してベース部材１０に着脱自在に取り付けられる。
【００３２】
光源配置部材２１には、床側に向けて複数のＬＥＤ４１が実装された実装基板４０が第１光源部として取り付けられている。実装基板４０のフレーム部材２０への取付方法は特に限定されるものではなく、例えば図４に示すように、光源配置部材２１の外側底面に形成された取付レール２１０ａ、２１０ｂからなるスロットに実装基板４０を長手方向端部からスライド挿入させて取り付けることができる。また、公知の固定手段（ビス止め、接着剤、等）を用いて実装基板が光源配置部材２１に直接取り付けられていてもよいし、基板ホルダのような別部材を介して取り付けられていてもよい。
【００３３】
また、光源配置部材２１には、実装基板４０を覆うようにカバー部材３０が取り付けられている。カバー部材３０のフレーム部材２０への取付方法は特に限定されるものではなく、例えば図４に示すように、光源配置部材２１の底面において実装基板４０の左右両側に形成された取付溝部２１１ａ、２１１ｂに、カバー部材３０の上端部に形成された取付爪部３１ａ、３１ｂを嵌合させることで、カバー部材３０をフレーム部材２０へと取り付けてもよいし、取付溝部２１１ａ、２１１ｂに取付爪部３１ａ、３１ｂを横方向からスライド挿入させることで、カバー部材３０をフレーム部材２０へと取り付けてもよい。
【００３４】
光源配置部材２１の取付溝部２１１ａ、２１１ｂの左右両側には、サイドフレーム部材２２ａ、２２ｂを連結するための下向き係合溝２１２ａ、２１２ｂと上向き係合溝２１３ａ、２１３ｂとが長手方向に沿って設けられており、下向き係合溝２１２ａ、２１２ｂと上向き係合溝２１３ａ、２１３ｂとは対向するように配置されている。
【００３５】
光源配置部材２１の端部２１４ａ、２１４ｂはそれぞれ上向き係合溝２１３ａ、２１３ｂからさらに外側へ、連結されたサイドフレーム部材２２ａ、２２ｂの下側においてサイドフレーム部材２２ａ、２２ｂに沿って延伸している。端部２１４ａ、２１４ｂそれぞれの先端にはサイドフレーム部材２２ａ、２２ｂ方向に突出した支持部２１５ａ、２１５ｂが形成されており、それぞれ連結されたサイドフレーム部材２２ａ、２２ｂに当接している。このように光源配置部材２１の支持部２１５ａ、２１５ｂがサイドフレーム部材２２ａ、２２ｂを支えるように当接することにより、サイドフレーム部材２２ａ、２２ｂが自重により下向き外側に倒れようとする力を低減することができる。
【００３６】
光源配置部材２１には、側板２３をフレーム部材２０に取り付けるためのねじ穴２１６ａ、２１６ｂが、取付溝部２１１ａ、２１１ｂに隣接して設けられている。
【００３７】
サイドフレーム部材２２ａ、２２ｂは、それぞれ天井面Ｃ及び光源配置部材２１に平行な平坦部２２１ａ、２２１ｂと、平坦部２２１ａ、２２１ｂから外側に向かって連続し、天井面Ｃに向かって傾斜した傾斜側面２２２ａ、２２２ｂとを備える。傾斜側面２２２ａ、２２２ｂはそれぞれ天井面Ｃに当接する端部近傍のみが天井面Ｃに対して垂直になるよう角度を変えて形成されている。
【００３８】
平坦部２２１ａ、２２１ｂの光源配置部材２１側の端部には、天井面Ｃに垂直に上方向及び下方向に突出したプレート状の突出片２２３ａ、２２３ｂが形成されている。図４に示すように、サイドフレーム部材２２ａ、２２ｂの突出片２２３ａ、２２３ｂを、それぞれ光源配置部材２１の下向き係合溝２１２ａ及び上向き係合溝２１３ａ並びに下向き係合溝２１２ｂ及び上向き係合溝２１３ｂに挟持させるように係合させることにより、サイドフレーム部材２２ａ、２２ｂが光源配置部材２１に連結されている。
【００３９】
サイドフレーム部材２２ａ、２２ｂと光源配置部材２１との連結は、サイドフレーム部材２２ａ、２２ｂの突出片２２３ａ、２２３ｂを、それぞれ光源配置部材２１の下向き係合溝２１２ａ及び上向き係合溝２１３ａ並びに下向き係合溝２１２ｂ及び上向き係合溝２１３ｂに長手方向からスライド挿入することによって行う。このような連結方法を採用することにより、サイドフレーム部材２２ａ、２２ｂは光源配置部材２１から確実に落下しない構造とすることができる。
【００４０】
光源配置部材２１の下向き係合溝２１２ａ及び上向き係合溝２１３ａ並びに下向き係合溝２１２ｂ及び上向き係合溝２１３ｂによって形成されるサイドフレーム部材２２ａ、２２ｂの突出片２２３ａ、２２３ｂを係合させるための空間は、突出片２２３ａ、２２３ｂのサイズよりも少し余裕（遊び）を持たせてあり、それにより突出片２２３ａ、２２３ｂは下向き係合溝２１２ａ及び上向き係合溝２１３ａ並びに下向き係合溝２１２ｂ及び上向き係合溝２１３ｂに対してわずかに隙間がある状態で係合している。この隙間があることにより、スライド挿入時の作業を容易にすることができる。また、この隙間の存在により、フレーム部材２０は光源配置部材２１とサイドフレーム部材２２ａ、２２ｂとを一体成形したフレーム部材に比べて長手方向のしなりを確保することができるので、照明装置１を天井面Ｃに取り付けたときに、天井面Ｃに歪みがあった場合でも、サイドフレーム部材２２ａ、２２ｂが天井面Ｃに追従して変形し、天井面Ｃとサイドフレーム部材２２ａ、２２ｂとの間に生じる隙間を低減することができる。
【００４１】
なお、本実施形態では光源配置部材２１に二つの係合溝を設け、サイドフレーム部材２２ａ、２２ｂにそれぞれ二方向に突出した突出片を設けたが、これに限られるものではなく、例えばさらに一以上の係合溝とそれに係合する突出片を設けて連結構造を強化してもよいし、光源配置部材２１側に突出片を設け、サイドフレーム部材２２ａ、２２ｂ側に係合溝を設けてもよい。
【００４２】
フレーム部材２０の長手方向端部には、光源配置部材２１とサイドフレーム部材２２ａ、２２ｂとの連結部分を覆うように側板２３が取り付けられている。フレーム部材２０はその長手方向に沿って光源配置部材２１、サイドフレーム部材２２ａ、２２ｂの三つのフレーム構成部材に分割されているため、一体成型する場合よりも部材としての強度は低下するものの、側板２３により分割されたフレーム構成部材の連結状態を補強することができるため、フレーム部材２０の強度を向上させることができる。なお、本実施形態においてはプラスチック成形品の側板２３を用いるが、側板２３の材質はこれに限られるものではなく、金属等その他の材質であってもよい。
【００４３】
図５に示すように、側板２３にはフレーム部材２０に取り付けるためのねじを通す貫通孔２３１ａ、２３１ｂが設けられている。また、側板２３の内側には、その略中央付近に実装基板４０の下面に当接する基板押さえ２３２と、カバー部材３０に当接するカバー押さえ接触面２３３と、サイドフレーム部材２２ａ、２２ｂに当接するフレーム押さえ接触面２３４ａ、２３４ｂとが、それぞれフレーム部材２０への取り付け方向に突出するように形成されている。
【００４４】
側板２３は、カバー部材３０をフレーム部材２０に取り付けた状態で、貫通孔２３１ａ、２３１ｂにねじを通し、光源配置部材２１のねじ穴２１６ａ、２１６ｂに留めて取り付けられるが、これに限られるものではなく、差込（スナップフィット）固定等の取付手段で取り付けられてもよい。
【００４５】
側板２３をフレーム部材２０に取り付けると、基板押さえ２３２が実装基板４０の下面に当接し、実装基板４０が取付レール２１０ａ、２１０ｂからなるスロットから外れないように固定する。また、カバー押さえ接触面２３３がカバー部材３０に当接し、フレーム押さえ接触面２３４ａ、２３４ｂがサイドフレーム部材２２ａ、２２ｂに当接することで、カバー部材３０やサイドフレーム部材２２ａ、２２ｂの位置がずれないように固定する。
【００４６】
カバー部材３０は、拡散透過・拡散反射性を有するプラスチック、例えばポリカーボネート（あるいはアクリル）により成形された長尺状の部材であり、ベース部材１０及びフレーム部材２０とほぼ同じに長さ方向に伸延している。カバー部材３０はＬＥＤ４１からの照射光を拡散透過・拡散反射させる。本実施形態に係るカバー部材３０の形状は幅方向断面視で略六角形状となっているが、これに限られるものではなく、照明装置全体の外形や照明装置の用途、光学的な拡散性や発光効率等を考慮して、適宜最適な形に成形されてよい。
【００４７】
フレーム部材２０をベース部材１０に着脱自在に取り付けるための取付構造としては、例えば板ばねやＶ字ばね、コイルばね等のばね部材をフレーム部材２０側に取り付け、ばね部材の一部を掛止するための取付部材をベース部材１０側に取り付けて、ばね部材の復元力、付勢力を用いてフレーム部材２０を上方に引き上げてベース部材１０に固定する構造が知られている。本実施形態における取付構造は、フレーム部材２０の光源配置部材２１内側に取り付けられた取付ばね２４と、ベース部材１０の水平部１２に取り付けられた取付金具１４との組み合わせを採用する。
【００４８】
取付金具１４は、中央部に開口１４１が設けられた金属製のプレート状部材であり、ベース部材１０の水平部１２に立設され、ねじ等で固定される。また、取付ばね２４は、一本の金属線から形成されるものであり、金属線が複数回コイル巻きされた巻き部２４１と、巻き部２４１から伸びる金属線を折り曲げてレバー状に形成されたアーム部２４２とからなり、巻き部２４１がフレーム部材２０の光源配置部材２１内側に係止部材２５を介して取り付けられる。
【００４９】
取付ばね２４のアーム部２４２をばねの付勢力に逆らう方向に持ち上げ、この状態でアーム部２４２をベース部材１０に固定された取付金具１４の開口１４１に挿し込んでからアーム部２４２を解放すると、ばねの復元力により取付ばね２４が自然状態に戻ろうとし、この復元力によりフレーム部材２０がベース部材１０方向に引き上げられる。この取付ばね２４と取付金具１４とからなる取付構造を少なくとも照明装置１の長手方向両端部近傍の二箇所に設けることにより、フレーム部材２０をベース部材１０に着脱自在にかつ安定的に取り付けることができる。
【００５０】
このような構造を有する照明装置１を天井面Ｃに取り付ける場合、まずベース部材１０が天井面Ｃに固定され、続いて実装基板４０やカバー部材３０等が取り付けられたフレーム部材２０が、取付ばね２４及び取付金具１４からなる取付構造を介してベース部材１０に取り付けられる。フレーム部材２０が取付ばね２４の復元力によりベース部材１０方向に引き上げられると、最終的にフレーム部材２０のサイドフレーム部材２２ａ、２２ｂの上端部が天井面Ｃに当接し、取付ばね２４の付勢力によりフレーム部材２０が天井面Ｃへと強く押し付けられて固定される。
【００５１】
このような構造を有する照明装置１であれば、図６に示すように、第１光源部である実装基板４０に実装された複数のＬＥＤ４１からの照射光が、カバー部材３０を介して拡散透過・拡散反射させられて、照明装置１の主たる照明光として床方向に照射されるとともに、第２光源部である実装基板６０ａ、６０ｂに実装された複数のＬＥＤ６１からの照射光が、サイドフレーム部材２２ａ、２２ｂを介して拡散透過・拡散反射させられて、照明装置１全体を発光部のように機能させることができる。すなわち、従来の同タイプの照明装置は、光源部からの照射光によりカバー部材部分のみが発光していたため、照明装置を見上げたときにグレアを強く感じるものであったが、本実施形態に係る照明装置１は、カバー部材３０部分を発光させる第１光源部以外に別の第２光源部をフレーム部材２０の内側に有し、フレーム部材２０（サイドフレーム部材２２ａ、２２ｂ）にも光拡散性を持たせることにより、照明装置１全体が発光部として機能するため、照明装置１を見上げたときにほとんどグレアを感じることがない。
【００５２】
また、照明装置１の実装基板６０ａ、６０ｂに実装される複数のＬＥＤ６１それぞれの発光面上に配光制御機構６２が設けられていることにより、グレアを効率よく解消できるように、ＬＥＤ６１からの照射光をフレーム部材２０に当てることができる。例えば、図６に示すように、サイドフレーム部材２２ｂのＡ点に強く照射光を当てた際にグレアがよく解消されるのであれば、そのようにＬＥＤ６１からの照射光を制御するように配光制御機構６２を調整する。
【００５３】
さらに、照明装置１には天井面Ｃに沿ってシート状の反射部材１５ａ、１５ｂがそれぞれ延設されているため、図６に示すように、第２光源部である実装基板６０ａ、６０ｂに実装された複数のＬＥＤ６１から天井面方向に照射された照射光をフレーム部材２０方向により効率的に反射させることができるため、第２光源部からの照射光をより多くフレーム部材２０に当てることができる。
【００５４】
なお、照明装置１の第１光源部（実装基板４０に実装された複数のＬＥＤ４１）及び第２光源部（実装基板６０ａ、６０ｂに実装された複数のＬＥＤ６１）の発光状態はそれぞれ独立して制御できるようになっている。これにより、それぞれの光源部のオンオフやそれぞれの光源部からの照射量を、照明装置１の設置場所や設置目的に応じて適切に制御することができる。
【００５５】
＜第２実施形態＞
続いて、本発明の第２実施形態を図面に基づいて詳細に説明する。図７は本発明の第２実施形態に係る照明装置１Ａの構成を示す斜視図であり、図８は照明装置１Ａの構成を示す断面図、図９は照明装置１Ａの側板２３Ａの構成を示す斜視図である。本実施形態の照明装置１Ａは、天井面Ｃ内部に設けられているアンカーボルトＶを介して、ベース部材１０Ａが天井面Ｃに設けられた開口部に埋設されるように取り付けられるタイプの照明装置である。
【００５６】
照明装置１Ａは、天井面Ｃに取り付けられる長尺状のベース部材１０Ａと、ベース部材１０Ａに着脱自在に装着される長尺状のフレーム部材２０Ａと、フレーム部材２０Ａを構成する一部材である光源配置部材２１Ａに取り付けられる光拡散性を有するカバー部材３０Ａとを備える。図８に示すように、フレーム部材２０Ａの底面部には、床側に向けて（すなわち、照明光が照射される方向に向けて）複数のＬＥＤ４１Ａが実装された実装基板４０Ａが第１光源部として取り付けられる。
【００５７】
ベース部材１０Ａは、幅方向に見て左右が垂直部（側面）１１Ａａ、１１Ａｂ、天井面Ｃ内部に設けられているアンカーボルトＶ側が水平部１２Ａとなった断面が略コ字状に長さ方向に伸延する長尺状の部材であり、例えば一枚の金属板により作製される。垂直部（側面）１１Ａａ、１１Ａｂそれぞれの端辺部１１１Ａａ、１１１Ａｂは、外側に向けて突出するようにフランジ状に形成されており、ベース部材１０ＡがアンカーボルトＶにナット（不図示）を螺合したりすることによって取り付けられると、当該端辺部１１１Ａａ、１１１Ａｂが天井面Ｃに係合し、これによってベース部材１０Ａが天井面Ｃに設けられた開口部に埋設されるように固定される。
【００５８】
ベース部材１０Ａの垂直部１１Ａａ、１１Ａｂ及び水平部１２Ａで形成される空間には、発光部（ＬＥＤ４１Ａを実装した実装基板４０ＡやＬＥＤ６１Ａを実装した実装基板６０Ａａ、６０Ａｂ、６０Ａｃ、６０Ａｄ）に電力を供給する電源ユニットや、フレーム部材２０Ａをベース部材１０Ａに着脱自在に取り付けるための取付構造が収納される。電源ユニットや取付構造は前述の第１実施形態と同様のものであるため、図８には示しておらず、また、その説明を省略する。ベース部材１０Ａの両端部にはそれぞれ側板（不図示）がビス止め、差込（スナップフィット）固定等の取付手段により取り付けられている。
【００５９】
図８に示すように、ベース部材１０Ａの垂直部１１Ａａ、１１Ａｂそれぞれの内面には、内側に向けて複数のＬＥＤ６１Ａが実装された実装基板６０Ａａ、６０Ａｂがそれぞれ第２光源部としてベース部材１０Ａの長手方向に沿って設けられている。また、ベース部材１０Ａの水平部１２Ａの内面には、内側に向けて複数のＬＥＤ６１Ａが実装された二つの実装基板６０Ａｃ、６０Ａｄがそれぞれ第２光源部としてベース部材１０Ａの長手方向に沿って設けられている。フレーム部材２０Ａはベース部材１０Ａを覆うようにベース部材１０Ａに取り付けられるため、第２光源部は、フレーム部材２０Ａとベース部材１０Ａ及び天井面Ｃとによって囲まれた空間内に配置されるように、ベース部材１０Ａに設けられていることになる。
【００６０】
実装基板６０Ａａ、６０Ａｂ、６０Ａｃ、６０Ａｄに実装される複数のＬＥＤ６１Ａそれぞれの発光面上には、第１実施形態と同様の配光制御機構が設けられていてもよい。また、ベース部材１０Ａの垂直部１１Ａａ、１１Ａｂ及び水平部１２Ａの内側の任意の場所にＬＥＤ６１Ａからの照射光を反射させることができるシート状の反射部材が取り付けられていてもよい。
【００６１】
フレーム部材２０Ａは、図８に示すように、光源として用いる複数のＬＥＤ４１Ａを長さ方向に等間隔に実装した長尺状の実装基板４０Ａが第１光源部として配置される光源配置部材２１Ａと、フレーム部材２０Ａの長手方向に沿って光源配置部材２１Ａの両側にそれぞれ設けられたサイドフレーム部材２２Ａａ、２２Ａｂの三つのフレーム構成部材に分割されており、光源配置部材２１Ａはアルミ押出材から、サイドフレーム部材２２Ａａ、２２Ａｂは、拡散透過・拡散反射性を有するプラスチック、例えばポリカーボネート（あるいはアクリル）により成形された乳白色の樹脂押出材からなる。
【００６２】
なお、光源配置部材２１Ａをアルミ押出材とすることにより、熱膨張の影響を抑え、かつその強度を高くすることができるものの、照明装置１Ａの長さや用途等に応じて、光源配置部材２１Ａをサイドフレーム部材２２Ａａ、２２Ａｂと同様の乳白色の樹脂押出材で構成してもよい。
【００６３】
フレーム部材２０Ａは、底面部には天井面Ｃに平行に光源配置部材２１Ａが配置され、幅方向に見て図８における左側にサイドフレーム部材２２Ａａが、右側にサイドフレーム部材２２Ａｂが光源配置部材２１Ａに連結されており、全体として断面視略Ｃ字形状を有している。フレーム部材２０Ａは、ベース部材１０Ａとほぼ同じに長さ方向に伸延しており、取付構造を介してベース部材１０Ａに着脱自在に取り付けられる。
【００６４】
フレーム部材２０Ａを構成する光源配置部材２１Ａの形状は、第１実施形態のフレーム部材２０を構成する光源配置部材２１と同じであるため、詳細な説明を省略する。また、光源配置部材２１Ａとサイドフレーム部材２２Ａａ、２２Ａｂとの連結方法や、光源配置部材２１Ａへのカバー部材３０Ａの取り付け方法、第１光源部としての複数のＬＥＤ４１Ａが実装された実装基板４０Ａの光源配置部材２１Ａへの取り付け方法も第１実施形態と同じであるため、詳細な説明を省略する。
【００６５】
サイドフレーム部材２２Ａａ、２２Ａｂは、それぞれ天井面Ｃ及び光源配置部材２１に平行な平坦部２２１Ａａ、２２１Ａｂと、平坦部２２１Ａａ、２２１Ａｂから外側に向かって連続し、天井面Ｃの下方に向かって傾斜した傾斜側面２２２Ａａ、２２２Ａｂとを備える。傾斜側面２２２Ａａ、２２２Ａｂはそれぞれ天井面Ｃの下方に当接する端部近傍のみが天井面Ｃに対して垂直になるよう角度を変えて形成されている。傾斜側面２２２Ａａ、２２２Ａｂの傾斜方向を除くと、サイドフレーム部材２２Ａａ、２２Ａｂは第１実施形態のサイドフレーム部材２２ａ、２２ｂと同じ形状であるため、その詳細な説明を省略する。
【００６６】
フレーム部材２０Ａの長手方向端部には、光源配置部材２１Ａとサイドフレーム部材２２Ａａ、２２Ａｂとの連結部分を覆うように側板２３Ａが取り付けられている。フレーム部材２０Ａはその長手方向に沿って光源配置部材２１Ａ、サイドフレーム部材２２Ａａ、２２Ａｂの三つのフレーム構成部材に分割されているため、一体成型する場合よりも部材としての強度は低下するものの、側板２３Ａにより分割されたフレーム構成部材の連結状態を補強することができるため、フレーム部材２０Ａの強度を向上させることができる。なお、本実施形態においてはプラスチック成形品の側板２３Ａを用いるが、側板２３Ａの材質はこれに限られるものではなく、金属等その他の材質であってもよい。
【００６７】
図９に示すように、側板２３Ａにはフレーム部材２０Ａに取り付けるためのねじを通す貫通孔２３１Ａａ、２３１Ａｂが設けられている。また、側板２３Ａの内側には、その略中央付近に実装基板４０Ａの下面に当接する基板押さえ２３２Ａと、カバー部材３０Ａに当接するカバー押さえ接触面２３３Ａと、サイドフレーム部材２２Ａａ、２２Ａｂに当接するフレーム押さえ接触面２３４Ａａ、２３４Ａｂとが、それぞれフレーム部材２０Ａへの取り付け方向に突出するように形成されている。側板２３Ａのフレーム部材２０Ａへの取り付け方法やその各部の機能は第１実施形態の側板２３と同じであるため、その詳細な説明を省略する。
【００６８】
カバー部材３０Ａは、拡散透過・拡散反射性を有するプラスチック、例えばポリカーボネート（あるいはアクリル）により成形された長尺状の部材であり、ベース部材１０Ａ及びフレーム部材２０Ａとほぼ同じに長さ方向に伸延している。カバー部材３０ＡはＬＥＤ４１Ａからの照射光を拡散透過・拡散反射させる。本実施形態に係るカバー部材３０Ａの形状は幅方向断面視で略六角形状となっているが、これに限られるものではなく、照明装置全体の外形や照明装置の用途、光学的な拡散性や発光効率等を考慮して、適宜最適な形に成形されてよい。
【００６９】
このような構造を有する照明装置１Ａを天井面Ｃに取り付ける場合、まず天井面Ｃにベース部材１０Ａの外形よりもやや大きい開口部が設けられ、ベース部材１０Ａを当該開口部にはめ込むとともに天井面Ｃ内部に設けられているアンカーボルトＶに取り付けて天井面Ｃに固定される。続いて実装基板４０Ａやカバー部材３０Ａ等が取り付けられたフレーム部材２０Ａが、取付構造を介してベース部材１０Ａに取り付けられる。フレーム部材２０Ａが取付ばね２４の復元力によりベース部材１０Ａ方向に引き上げられると、最終的にフレーム部材２０Ａのサイドフレーム部材２２Ａａ、２２Ａｂの下端部が天井面Ｃに当接し、取付ばね２４の付勢力によりフレーム部材２０Ａが天井面Ｃへと強く押し付けられて固定される。
【００７０】
このような構造を有する照明装置１Ａであれば、第１実施形態と同様に、第１光源部である実装基板４０Ａに実装された複数のＬＥＤ４１Ａからの照射光が、カバー部材３０Ａを介して拡散透過・拡散反射させられて、照明装置１Ａの主たる照明光として床方向に照射されるとともに、第２光源部である実装基板６０Ａａ、６０Ａｂ、６０Ａｃ、６０Ａｄに実装された複数のＬＥＤ６１Ａからの照射光が、サイドフレーム部材２２Ａａ、２２Ａｂを介して拡散透過・拡散反射させられて、照明装置１Ａ全体を発光部のように機能させることができる。すなわち、従来の同タイプの照明装置は、光源部からの照射光によりカバー部材部分のみが発光していたため、照明装置を見上げたときにグレアを強く感じるものであったが、本実施形態に係る照明装置１Ａは、カバー部材３０Ａ部分を発光させる第１光源部以外に別の第２光源部をフレーム部材２０Ａの内側に有し、フレーム部材２０Ａ（サイドフレーム部材２２Ａａ、２２Ａｂ）にも光拡散性を持たせることにより、照明装置１Ａ全体が発光部として機能するため、照明装置１Ａを見上げたときにほとんどグレアを感じることがない。
【００７１】
以上、本発明に係る照明装置について図面に基づいて説明してきたが、本発明は上記実施形態に限定されることはなく、種々の変更実施が可能である。照明装置の形状、ベース部材の形状、フレーム部材の形状、カバー部材の形状には様々なバリエーションが考えられる。
【００７２】
例えば、第１実施形態のフレーム部材２０は光源配置部材２１、サイドフレーム部材２２ａ、２２ｂの三つのフレーム構成部材に分割されているが、これに限られるものではなく、光源配置部材２１とどちらのサイドフレーム部材とを一体化した一つのフレーム構成部材とし、もう一方のサイドフレーム部材のみを分割したフレーム構成部材としてもよいし、フレーム部材２０を四つ以上のフレーム構成部材に分割してもよい。第２実施形態のフレーム部材２０Ａも同様である。
【００７３】
また、それぞれのフレーム構成部材に上記実施形態とは異なる構造を用いてフレーム構成部材同士を嵌合させたり係合させたりして連結してもよいし、リベット、ねじ等の締結部材を用いて連結してもよい。あるいは、カシメ、溶接、接着等の方法により直接固着させてもよいし、ばね部材等の固定部材を用いて、フレーム構成部材同士を押し付けて連結してもよい。さらに、それらの連結方法を併用して連結状態を補強することも許容される。
【符号の説明】
【００７４】
１、１Ａ  照明装置
１０、１０Ａ  ベース部材
２０、２０Ａ  フレーム部材
２１、２１Ａ  光源配置部材
２２ａ、２２ｂ、２２Ａａ、２２Ａｂ  サイドフレーム部材
３０、３０Ａ  カバー部材
４０、４０Ａ  実装基板（第１光源部）
４１、４１Ａ  ＬＥＤ
６０ａ、６０ｂ、６０Ａａ、６０Ａｂ、６０Ａｃ、６０Ａｄ  実装基板（第２光源部）
６１、６１Ａ  ＬＥＤ
Ｃ  天井面
【図１】
2019160735.tif 000003
【図２】
2019160735.tif 000004
【図３】
2019160735.tif 000005
【図４】
2019160735.tif 000006
【図５】
2019160735.tif 000007
【図６】
2019160735.tif 000008
【図７】
2019160735.tif 000009
【図８】
2019160735.tif 000010
【図９】
2019160735.tif 000011